(57)【要約】【課題】  コンパクトであり、かつ、照明部からの照明光が使用者の目に入射することを抑制可能な画像読取装置を提供すること。【解決手段】  原稿が載置される原稿台１０４と、原稿を照明する照明部３１０と、原稿からの光を受光するリニアセンサー３０４と、原稿からの光をリニアセンサー３０４に導く光学部３１０と、原稿を原稿台１０４に圧接させる原稿圧板１０５と、原稿圧板１０５を開閉させるためのヒンジ部１０６と、を有する画像読取装置１００であって、照明部３１０は、リニアセンサー３０４の長手方向に伸びた導光体３１１と、導光体３１１の長手方向における一端にのみ配置された光源３１２と、を備えており、ヒンジ部１０６は、導光体３１１の長手方向において光源３１２とは反対側に配置されている。【選択図】  図３
2014241516.tif 000002
【特許請求の範囲】
【請求項１】
原稿が載置される原稿台と、
前記原稿を照明する照明部と、
前記原稿からの光を受光するリニアセンサーと、
前記原稿からの光を前記リニアセンサーに導く光学部と、
前記原稿を前記原稿台に圧接させる原稿圧板と、
前記原稿圧板を開閉させるためのヒンジ部と、
を有する画像読取装置であって、
前記照明部は、前記リニアセンサーの長手方向に伸びた導光体と、該導光体の長手方向における一端にのみ配置された光源と、を備えており、
前記ヒンジ部は、前記導光体の長手方向において前記光源とは反対側に配置されていることを特徴とする画像読取装置。
【請求項２】
前記導光体は、その長手方向に配列された複数のプリズムを含む光学面を有することを特徴とする請求項１に記載の画像読取装置。
【請求項３】
前記導光体の長手方向において、前記光学面の中心軸と前記光源との距離は、前記光学部により定義される光軸と前記光源との距離よりも短いことを特徴とする請求項２に記載の画像読取装置。
【請求項４】
前記導光体の長手方向における前記照明部の照明範囲の長さは２５０ｍｍ以上であることを特徴とする請求項１乃至３のいずれか１項に記載の画像読取装置。
【請求項５】
前記光学部は縮小結像系であることを特徴とする請求項１乃至４のいずれか１項に記載の画像読取装置。
【請求項６】
請求項１乃至５のいずれか１項に記載の画像読取装置と、
前記画像読取装置により読み取られた前記原稿の画像を記録媒体上に形成する画像形成部と、を備えることを特徴とする画像形成装置。
【請求項７】
前記画像読取装置により取得された情報を信号に変換して前記画像形成部に送信するコントローラーを備えており、
前記コントローラーは、前記導光体の長手方向において前記光源とは反対側に配置されていることを特徴とする請求項６に記載の画像形成装置。
【発明の詳細な説明】
【技術分野】
【０００１】
本発明は画像読取装置に関し、例えばデジタル複写機やイメージスキャナー等に好適である。
【背景技術】
【０００２】
従来、画像読取装置が備える照明部においては、耐久性及び光利用効率に優れた発光ダイオード（Ｌｉｇｈｔ  Ｅｍｉｔｔｉｎｇ  Ｄｉｏｄｅ：以下、ＬＥＤと称す）が採用されている。特許文献１には、導光体の長手方向の両端にＬＥＤ光源を備える構成（以下、両端型と称す）の照明部を採用することにより、照度を高め、かつ照度ムラを低減することができる画像読取装置が開示されている。
【先行技術文献】
【特許文献】
【０００３】
【特許文献１】特開２０１２−１６０９４０号公報
【発明の概要】
【発明が解決しようとする課題】
【０００４】
しかし、特許文献１に記載の両端型の照明部においては、光源を導光体の両端に設けるためのスペースが必要となるため、画像読取装置が大型化してしまう。また、厚い原稿を読み取る場合、使用者は原稿厚板を開けた状態で画像読取装置を操作することになるため、照明部からの照明光が使用者の目に入射し、使用者に眩しさ（不快感）を与えてしまう可能性がある。
【０００５】
そこで、本発明の目的は、コンパクトであり、かつ、照明部からの照明光が使用者の目に入射することを抑制可能な画像読取装置を提供することである。
【課題を解決するための手段】
【０００６】
上記目的を達成するための、本発明の一側面としての画像読取装置は、原稿が載置される原稿台と、前記原稿を照明する照明部と、前記原稿からの光を受光するリニアセンサーと、前記原稿からの光を前記リニアセンサーに導く光学部と、前記原稿を前記原稿台に圧接させる原稿圧板と、前記原稿圧板を開閉させるためのヒンジ部と、を有し、前記照明部は、前記リニアセンサーの長手方向に伸びた導光体と、該導光体の長手方向における一端にのみ配置された光源と、を備えており、前記ヒンジ部は、前記導光体の長手方向において前記光源とは反対側に配置されていることを特徴とする。
【０００７】
本発明の更なる目的又はその他の特徴は、以下、添付の図面を参照して説明される好ましい実施形態によって明らかにされる。
【発明の効果】
【０００８】
本発明によれば、コンパクトであり、かつ、照明部からの照明光が使用者の目に入射することを抑制可能な画像読取装置を提供することができる。
【図面の簡単な説明】
【０００９】
【図１】本発明の実施形態に係る画像形成装置の要部概要図。
【図２】本発明の実施形態に係るキャリッジの要部断面図。
【図３】本発明の実施例１に係る画像読取装置の要部断面図。
【図４】本発明の実施例１における照度分布を示す図。
【図５】比較例に係る画像読取装置の要部断面図。
【図６】比較例における照度分布を示す図。
【図７】本発明の実施例２に係る画像読取装置の要部断面図。
【図８】本発明の実施例２における照度分布を示す図。
【発明を実施するための形態】
【００１０】
以下、本発明の好ましい実施形態について図面を参照しながら説明する。なお、各図において、同一の部材については同一の参照番号を付し、重複する説明を省略する。
【００１１】
図１は、本実施形態に係る、画像読取装置１００及び画像形成部２００を備えた画像形成装置１０００の要部概略図である。使用者は、表示部１０１の表示を確認しながら、操作部１０２により画像形成装置１０００に対して動作指示を与えることができる。本実施形態に係る画像読取装置１００は、Ａ３原稿を読取可能であり、その読取範囲（照明範囲）の大きさは約３００ｍｍ×４２０ｍｍである。
【００１２】
画像読取装置１００は、原稿１０３を配置するための原稿台１０４と、原稿１０３を原稿台１０４に圧接するための原稿圧板１０５と、原稿台１０４を保持する保持部１０８と、原稿台１０４の下方に配置されるキャリッジ３００と、を有している。なお、本実施形態においては、原稿台１０４はガラスより成り、原稿圧板１０５はヒンジ部１０６を介して保持部１０８に設けられており、キャリッジ３００はＸ方向（副走査方向）に移動して原稿１０３をスキャン可能に構成されている。
【００１３】
図２は、キャリッジ３００のＺＸ断面図である。キャリッジ３００は、ハウジング３０１と、原稿１０３を照明する照明部３１０と、原稿１０３からの光を受光するリニアセンサー３０４と、原稿１０３からの光をリニアセンサー３０４に導く光学部３０３と、を含む。さらに、原稿１０３と光学部３０３との間の光路上には、原稿１０３からの反射光を反射する複数のミラー３０２が配置されている。なお、本実施形態においては、光学部３０３を縮小結像系とし、リニアセンサー３０４をＹ方向（紙面垂直方向）に伸びた（画素がＹ方向に１次元配列された）ラインセンサーとしている。
【００１４】
リニアセンサー３０４上に形成された原稿の像は、１次元画像情報としてコントローラー３０５に送信される。コントローラー３０５は、キャリッジ３００が原稿１０３を読み取る毎に１次元画像情報を受信し、得られた複数の情報から２次元画像情報を取得する。さらに、コントローラー３０５は、画像の色やコントラスト等の情報を修正し、その情報を信号に変換して画像形成部２００に送信する。そして、画像形成部２００は、電子写真方式やインクジェット方式等に基づき、コントローラー３０５から受信した信号に応じて紙等の記録媒体上に画像を形成する。
【００１５】
ここで、本実施形態に係る照明部３１０は、リニアセンサー３０４の長手方向に伸びた導光体と、その導光体の長手方向における一端にのみ配置された光源と、を備えている。これにより、両端型と比較して、画像読取装置１００を小型化して設置面積を小さくすることができる。さらに、本実施形態に係る画像読取装置１００は、原稿圧板１０５を開閉させるためのヒンジ部１０６が、導光体の長手方向において光源とは反対側に配置された構成を採っている。この構成によれば、照明部３１０からの照明光が使用者の目に入射することを抑制することができる（詳細は後述）。
【００１６】
次に、本実施形態に係る画像読取装置１００について、各実施例で詳細に説明する。
【００１７】
［実施例１］
以下、本発明の実施例１に係る画像読取装置について詳細に説明する。図３は、本実施例に係る画像読取装置１００の要部概略図（ＹＺ断面図）である。本実施例に係る照明部３１０は、基板３１３に実装された光源（ＬＥＤ）３１２と、光源３１２側に入射面を有する導光体３１１と、を備えている。また、基板３１３の背面（光源３１２が設けられている面とは反対側の面）には、光源３１２が発する熱を排熱するためのヒートシンク３１４が設けられている。導光体３１１は、その長手方向がＹ方向（主走査方向）に一致するように配置されている。
【００１８】
図３に示したように、照明部３１０は、導光体３１１の長手方向の一端（−Ｙ側の端部）にのみ光源３１２を備えた構成（以下、片端型と称す）を採っている。片端型においては、導光体３１１の長手方向の他端（＋Ｙ側の端部）には光源や基板、ヒートシンクを備えないため、両端型と比べて保持部１０８のＹ方向における幅を短くすることができ、画像読取装置１００の小型化を実現することができる。
【００１９】
導光体３１１は、その底部において、Ｙ方向に配列された複数の微細プリズム（２次光源群）を含む光学面（２次光源面）３１５を備えている。光学面３１５は、あたかも自ら発光する光源のように振る舞う。この作用は全反射によるものであり、それに起因して、光学面３１５から発せられた光は、光源３１２から離れる方向に偏った角度分布で進むという特性（以下、偏角特性と称す）を有している。ここで、本実施例においては、光学面３１５で反射した光は＋Ｙ方向にのみ進む偏角特性となる。本発明者は、この片端型における偏角特性に着目し、導光体３１１の＋Ｙ側の端部近傍では、微細プリズムを設けることによる効果が薄いということを見出した。
【００２０】
よって、本実施例に係る導光体３１１は、光源３１２とは反対側（＋Ｙ側）の端部の底面において、微細プリズムが設けられていない領域を有する構成を採っている。さらに、導光体３１１の長手方向（Ｙ方向）において、光学面３１５の中心軸３２１と光源３１２との距離は、光学部３０３により定義される光軸３０６と光源３１２との距離よりも短くなっている。すなわち、光学面３１５の中心軸３２１が、光学部３０３の光軸３０６に対して意図的に光源３１２側にずらされている。この構成により、導光体３１１を小型化することができる。さらに、微細プリズムを含む導光体３１１を樹脂成形する際に、金型における加工面積を小さくすることができるため、切削工具の摩耗を抑え、高い精度と低コスト化を実現することができる。
【００２１】
なお、本実施例に係る画像読取装置１００のように、縮小結像系を用いた縮小結像方式は、等倍光学系を用いた密着読取方式（Ｃｏｎｔａｃｔ  Ｉｍａｇｅ  Ｓｅｎｓｏｒ方式）と比較して被写界深度が深い。よって、縮小結像方式によれば、原稿が原稿台から浮き上がったとしても、その浮き上がりが数十ミリ程度ならば、十分なコントラスト性能を得ることができる。さらに、一般的な画像読取装置においては、原稿が大きく（数十ミリ以上）浮き上がった場合にも、高い照度とその均一性を維持することが求められる。
【００２２】
ここで、原稿台１０４上（被照射高さが０ｍｍ）においては、光源３１２側（−Ｙ側）の端部から光源３１２とは反対側（＋Ｙ側）の端部までの全範囲にかけて、照明部３１０により略均一に照明される。しかし、上述したように、光学面３１５で反射した光は＋Ｙ方向にのみ向かう偏角特性を有するため、被照射高さが大きくなるにつれて、照明光の光量分布は光源３１２とは反対側（＋Ｙ側）にずれることになる。すなわち、上述した偏角特性により、Ｙ方向における光源３１２側では、被照射高さの増加に伴って照明光の光量が大きくに低下してしまう。
【００２３】
そこで、本実施例においては、Ｙ方向おける原稿の位置を決める突き当て部３０７が、Ｙ方向において導光体３１１の光源３１２とは反対側（＋Ｙ側）の端部に設けられた構成を採っている。この構成により、原稿を原稿台１０４のＹ方向における光源３１２側から離して配置することができるため、上述した片端型における偏角特性と相まって、被照射高さが変化してもほぼ一定の光量を維持することができる。したがって、原稿が原稿台１０４から浮き上がった場合にも、原稿を照明する光の照度の均一性を維持することができる。
【００２４】
図４は、本実施例に係る画像読取装置１００において、導光体３１１の一端に設けられた光源３１２を発光させた時の照度分布を示した図である。図４において、横軸はＹ方向における読取位置（主走査読取位置）を示し、縦軸はリニアセンサー３０４が受光する光の照度比（ピーク値を１００％とした時の照度の相対値）を示している。また、各曲線は、原稿台１０４における読取範囲（照明部３１０による照明範囲）内に載置された原稿１０３の原稿面（被照射面）の、原稿台１０４からの浮き上がり量（被照射高さ）に対応するグラフである。
【００２５】
なお、縮小結像方式においては、原稿１０３の浮き上がりが生じていない場合にも、光学部３０３の画角特性（ＣＯＳ４乗則）によって、リニアセンサー３０４の端部における受光光量が低下してしまうという課題がある。この課題に対して、本実施例では導光体３１１における微細プリズムを適切に配置することにより、図４に示すように、被照射高さが０ｍｍである時の照度比を読取範囲の全域に渡って略均一にしている。
【００２６】
しかし、図４を見ると、被照射高さが大きくなるにつれて、読取範囲の一端（−Ｙ側の端部）における照度比が低下していき、被照射高さが４０ｍｍになると、読取範囲の−Ｙ側の端部での照度比は２０％程度になってしまうことがわかる。ただし、一般的に、特に浮き上がりが発生し易いのは、辞書等の厚い原稿における綴じ部であり、これらの原稿のＹ方向における幅は２６０ｍｍ前後である場合が多い。
【００２７】
よって、上述の原稿を、本実施例に係る突き当て部３０７に対して突き当てて、原稿台１０４の上に配置した場合、図４に示した主要原稿範囲が読み取られることになる。この時、図４より、いずれの被照射高さにおいても、主要原稿範囲の全域に渡って照度比が略均一になっていることがわかる。このように、本実施では、突き当て部３０７を、読取範囲の他端（＋Ｙ側の端部）、すなわち光源３１２とは反対側に設けることにより、上述した−Ｙ側の端部での照度比の低下による影響を回避することができる。
【００２８】
なお、本実施例においては、突き当て部３０７を保持部１０８の上に配置しているが、例えば原稿台１０４の上など、原稿のＹ方向における位置決めができる場所であるならば、突き当て部３０７をどこに配置してもよい。また、本実施例に係る突き当て部３０７は、原稿に接する面（突き当て面）が導光体３１１の長手方向（Ｙ方向）に対して垂直な方向（Ｘ方向）に沿うように配置されている。すなわち、突き当て部３０７は、その長手方向がＸ方向に沿った、連続した突き当て面を有している。ただし、ここでの「垂直」とは「略垂直」を含んでおり、原稿のＹ方向における位置決めができるならば、突き当て面は、厳密にＸ方向に沿って配置されていなくてもよいし、連続した面でなくてもよい。
【００２９】
さらに、本実施例に係る画像読取装置１００においては、図３に示したように、原稿圧板１０５を開閉させるためのヒンジ部１０６を、Ｙ方向において光源３１２とは反対側（＋Ｙ側）に設けている。この構成により、使用者は必然的に光源３１２側に立って原稿圧板１０５を開閉することになる。この時、上述した片端型における偏角特性と相まって、光学面３１５にて反射した照明光が＋Ｙ方向にのみ向かうことになるので、照明光が使用者の目に入射することを抑制することができる。なお、前述した辞書等の原稿を読み取る際には、いずれの原稿もＡ３幅より小さいことより、読取範囲から漏れる照明光の量が大きくなるため、より大きな効果を得ることができる。
【００３０】
ところで、図１に示したように、画像形成装置１０００が備えるコントローラー３０５は、ヒンジ部１０６側（＋Ｙ側）、すなわち使用者側（−Ｙ側）とは反対側に配置されている。これは、使用者側には、表示部１０１や操作部１０２が存在し、さらに画像形成部２００におけるトナーやインク、紙の補充などを行うためのスペースが必要となり、コントローラー３０５を配置することが困難であるためである。
【００３１】
よって、一般的には、照明部３１０が備える光源３１２等の電気部品とコントローラー３０５との結線距離を短くするために、その電気部品をコントローラー３０５と同様に＋Ｙ側に配置することが設計上好ましい。しかし、本実施例に係る画像読取装置１００を備える画像形成装置１０００においては、あえて光源３１２等の電気部品をコントローラー３０５とは反対側の使用者側（−Ｙ側）に配置することにより、上述した効果を得ている。
【００３２】
なお、図３に示したように、突き当て部３０７を、保持部１０８などの隣接する部材とは異なる色で着色することにより、使用者が視覚的に突き当て部３０７の位置を認知し易くなり、原稿の正確な位置決めを促すことができる。突き当て部３０７に対する着色は、全体に施してもよいし、部分的に（模様や文字として）施してもよい。
【００３３】
また、導光体３１１の長手方向（Ｙ方向）における照明部３１０の照明範囲（読取範囲）の長さが２５０ｍｍ以上である場合に、上述した課題（照度ムラや照明光の漏れ）が特に大きくなり、より大きな本発明の効果を得ることができる。本実施例では、Ａ３原稿の読み取りが可能なように、照明範囲の大きさを約３００ｍｍ×４２０ｍｍとしているため、本発明の効果を十分に得ることができる。
【００３４】
以上、本実施例に係る画像読取装置によれば、装置の小型化により設置面積を小さくすることができ、かつ、照明部からの照明光が使用者の目に入射することを抑制することができる。
【００３５】
［比較例］
ここで、本発明の実施例１に対する比較例について説明する。図５は、本比較例に係る画像読取装置４００の要部概略図（ＹＺ断面図）である。本比較例が実施例１に対して異なる点は、画像読取装置４００が、両端型の照明部４１０を備えているという点、及び、導光体４１１の底面の全域に微細プリズムが設けられているという点である。すなわち、照明部４１０は、光源４１２と基板４１３とヒートシンク４１４との夫々を、導光体４１１の長手方向（Ｙ方向）の両端に備えておいり、かつ、光学面４１５の中心軸が、光学部３０３の光軸３０６に一致した構成を採っている。
【００３６】
まず、図６（ａ）に、本比較例に係る画像読取装置４００において、導光体４１１の＋Ｙ側の端部に設けられた光源４１２のみを発光させた時の照度分布を、図４と同様に示す。なお、−Ｙ側の端部の光源４１２のみを発光させた時の照度分布は、図６（ａ）の照度分布を左右反転させたものに一致する。図６（ａ）に示す照度分布は、＋Ｙ側の光源４１２のみを発光させたことによる偏角特性により、被照射高さが大きくなるにつれて、＋Ｙ側の端部から離れる方向に重心が移動する。特に、照度比は光源４１２近傍において急激に低下し、被照射高さが４０ｍｍになると、読取範囲の端部での照度比は２５％程度になってしまう。
【００３７】
そこで、本比較例においては、導光体４１１の両端に設けられた光源４１２を同時に発光させることにより、図６（ａ）に示した照度分布とそれを左右反転させた照度分布とを合わせて、図６（ｂ）に示すような照度分布を得ている。図６（ｂ）を見てわかるように、被照射高さが０ｍｍである時は、実施例１と同様に主要読取範囲の全域に渡って照度比が略均一になっている。また、図６（ａ）に示した照度分布と比較して、図６（ｂ）に示す照度分布においては、原稿の浮き上がりが生じた際の読取範囲の両端部での照度比が向上している。
【００３８】
しかしながら、本比較例においては、被照射高さの増大に伴う読取範囲の両端部における照度比の低下を完全に抑制することはできず、例えば被照射高さが４０ｍｍになると、読取範囲の両端部での照度比は５０％程度になってしまう。よって、本比較例に係る画像読取装置４００において、実施例１と同様に、Ｙ方向において−Ｙ側の端部の光源４１２とは反対側（＋Ｙ側）に突き当て部４０７を設けたとしても、主要原稿範囲内の照度分布が不均一になってしまう。なお、原稿を突き当て部４０７から離して配置することにより、照度比の低下による影響を低減することはできるが、突き当て部４０７による原稿の位置決めができないため、実用的ではない。
【００３９】
本比較例のような両端型の照明部４１０を用いて原稿を読み取った場合、上述した照度ムラにより読取画像に対して様々な影響が及んでしまう。例えば、紙色が白の辞書等の原稿を、諧調性を有するカラー画像やグレースケール画像として読み取った場合、その綴じ部の端部近傍の読取画像には白色から灰色に変化するようなムラが生じてしまう。また、諧調性のない白黒の２値画像として読み取った場合、綴じ部の端部近傍の下地（印字されていない部分）が黒として読み取られてしまい、同箇所に記載された文字などが埋もれてしまう可能性がある。
【００４０】
また、図５に示したように、本比較例に係る照明部４１０において、−Ｙ側の端部及び＋Ｙ側の端部から出射して光学面４１５にて反射した光の夫々は、−Ｙ方向及び＋Ｙ方向の夫々に向かう偏角特性を有する。よって、本比較例に係る画像読取装置４００において、実施例１と同様に、Ｙ方向において−Ｙ側の端部の光源４１２とは反対側（＋Ｙ側）にヒンジ部１０６を設けたとしても、−Ｙ方向に向かう光が使用者の目に入射することを抑制することはできない。
【００４１】
上述したように、本比較例に係る照明部４１０は両端型であるため、実施例１のように、光学面４１５の面積を減らしたり、光学面４１５のＹ方向における中心軸を光学部３０３の光軸３０６に対してずらしたりすることはできない。よって、本比較例では、導光体４１１の小型化や、金型加工における高精度化及び低コスト化を実現することはできない。
【００４２】
［実施例２］
以下、本発明の実施例２に係る画像読取装置について詳細に説明する。図７は、本実施例に係る画像読取装置５００の要部概略図（ＹＺ断面図）である。本実施例が実施例１に対して異なる点は、画像読取装置５００が備える突き当て部５０７が、画像読取装置１００が備える突き当て部３０７とは反対側に配置されているという点である。すなわち、画像読取装置５００においては、照明部５１０が導光体５１１の長手方向の一端（−Ｙ側の端部）にのみ光源５１２を備え、かつ、突き当て部５０７がＹ方向において光源５１２と同じ側（−Ｙ側）に設けられている。
【００４３】
図７に示したように、照明部５１０は、導光体５１１の長手方向の他端（＋Ｙ側の端部）には光源や基板、ヒートシンクを備えていない。よって、両端型と比べて保持部１０８のＹ方向における幅を短くすることができ、画像読取装置５００の小型化を実現することができる。
【００４４】
また、本実施例では、光源５１２から出射して導光体５１１の光学面５１５にて反射した光は、実施例１と同様に＋Ｙ方向にのみ進む偏角特性を有する。そこで、本実施例に係る導光体５１１は、＋Ｙ側の端部の底面において、微細プリズムが設けられていない領域を有している。さらに、光学面５１５のＹ方向における中心軸５２１が、光学部３０３により定義される光軸３０６に対して意図的に光源５１２側（−Ｙ側）にずらされている。この構成により、実施例１と同様に、導光体５１１の小型化と、金型加工における高精度化及び低コスト化とを実現することができる。
【００４５】
そして、本実施例においても、実施例１と同様に、ヒンジ部１０６をＹ方向において光源５１２とは反対側（＋Ｙ側）に設けているため、上述した偏角特性と相まって照明光が使用者の目に入射することを抑制することができる。また、本実施例に係る画像読取装置５００を備える画像形成装置１０００においても、光源５１２等の電気部品をあえてコントローラー３０５とは反対側の使用者側（−Ｙ側）に配置することにより、前述したような効果を得ることができる。
【００４６】
図８は、図４と同様に、本実施例に係る画像読取装置５００において、照明部５１０の一端に設けられた光源５１２を発光させた時の照度分布を示した図である。図８に示すように、被照射高さが０ｍｍである時の照度比は読取範囲の全域に渡って略均一であるが、被照射高さが大きくなるにつれて、読取範囲の一端（−Ｙ側の端部）における照度比が低下している。
【００４７】
本実施例では、突き当て部５０７を、読取範囲の−Ｙ側の端部、すなわち光源５１２と同じ側に設けているため、原稿が浮き上がった場合に、主要原稿範囲において−Ｙ側の端部での照度比が低下してしまう。しかし、突き当て部５０７が使用者側（−Ｙ側）にあることから、実施例１と比較して、使用者が原稿を配置する際の負荷が減り、特に身長の低い使用者でも使い易いという効果が得られる。
【００４８】
以上、本実施例に係る画像読取装置によれば、装置の小型化により設置面積を小さくすることができ、かつ、照明部からの照明光が使用者の目に入射することを抑制することができる。
【００４９】
［変形例］
以上、本発明の好ましい実施形態について説明したが、本発明はこれらの実施形態に限定されず、その要旨の範囲内で種々の変形及び変更が可能である。
【００５０】
例えば、上述した実施形態においては、光源としてＬＥＤを用いたが、これに限らずＥＬ光源（ＯＬＥＤなど）や電球等を光源として用いてもよい。また、上述した実施形態では、リニアセンサーとして画素が１次元配列されたラインセンサーを採用したが、そのラインセンサーを短手方向に複数配列したものをリニアセンサーとして用いてもよい。
【００５１】
原稿台の材料としては、ガラスに限らず樹脂等を用いてもよく、導光体の材料としては、樹脂に限らずガラス等を用いてもよい。また、導光体に設けられる複数の微細プリズムの形状は山形でも台形でもよく、それらを構成する光学面は平面に限らず曲面としてもよい。さらに、導光体を反射板等の板状部材として構成してもよい。
【００５２】
なお、上述した各実施例では、辞書や鉄道時刻表等の厚い（綴じ部がある）原稿を読み取る場合を想定しているが、これに限らず、表面が波打った原稿や立体物等を読み取る場合でも、本発明の効果を得ることができる。
【符号の説明】
【００５３】
１００  画像読取装置
１０４  原稿台
１０５  原稿圧板
１０６  ヒンジ
３０３  光学部
３０４  リニアセンサー
３１０  照明部
３１１  導光体
３１２  光源
【図１】
2014241516.tif 000003
【図２】
2014241516.tif 000004
【図３】
2014241516.tif 000005
【図４】
2014241516.tif 000006
【図５】
2014241516.tif 000007
【図６】
2014241516.tif 000008
【図７】
2014241516.tif 000009
【図８】
2014241516.tif 000010